(57)【要約】【課題】広範囲の監視範囲を撮像素子で撮像し監視するには、低解像度の撮像素子を用いた監視装置を複数台設置するか、高解像度の撮像素子に駆動部を設けて正確に撮像範囲の制御を行う必要があり、設置コストやランニングコストがかさむ。【解決手段】ネットワーク網４を介してユーザからの映像送信要求があると、制御部３はユーザ認証処理を行う。認証が成功した場合は、撮像素子読み出し領域設定部３２は該当ユーザに対応した高精細ＣＭＯＳ撮像素子１４の映像信号読み出し領域をユーザ情報記憶部３１より読み出して設定する。そして、ユーザに対応する領域の映像信号のみを高精細ＣＭＯＳ撮像素子１４より読み出し、その読み出した映像信号に対して信号処理部２は映像信号処理と、ユーザ端末に合わせたサイズのリサイズとを行った後、該当ユーザの送信先の端末へ送信する。【選択図】図１
2008211407.tif 000002
【特許請求の範囲】
【請求項１】
撮像素子で撮像した監視範囲内の特定領域の映像信号を、ネットワーク接続された複数のユーザ端末のうち前記特定領域に関連付けられた特定のユーザ端末のみに送信する監視装置であって、
撮像した撮像信号の読み出し領域を設定可能な前記撮像素子を備える撮像手段と、
前記複数のユーザ端末各々毎の、予め割り当てた認証情報、送信先情報、及び前記撮像素子の読み出し領域を記憶するユーザ情報記憶手段と、
任意のユーザ端末からの映像送信要求を受信したときに、この受信した映像送信要求に基づき、前記ユーザ端末の認証情報と前記ユーザ情報記憶手段に記憶されている認証情報とを照合して一致するか否かの認証処理を行う認証手段と、
前記認証処理により認証が成功したときは、認証が成功した映像送信要求元のユーザ端末に対応して設定されている前記撮像素子の読み出し領域を前記ユーザ情報記憶手段から読み出して、前記撮像素子に設定する第１の読み出し領域設定手段と、
前記撮像素子で撮像した監視範囲の撮像信号のうち、前記第１の読み出し領域設定手段により設定された読み出し領域の撮像信号のみを切り出して、その撮像信号に対してリサイズ処理を行って得た映像信号を、前記認証が成功した映像送信要求元のユーザ端末に対して送信する信号処理送信手段と
を有することを特徴とする監視装置。
【請求項２】
前記認証が成功した映像送信要求元のユーザ端末が複数ある場合に、
前記第１の読み出し領域設定手段は、前記複数のユーザ端末それぞれについて設定されている前記撮像素子の読み出し領域を前記撮像素子に時分割で設定し、
前記信号処理送信手段は、前記第１の読み出し領域設定手段により時分割で設定された読み出し領域の撮像信号のみを順次に切り出して、その撮像信号に対してリサイズ処理を行って得た前記複数の映像信号を、前記認証が成功した前記複数のユーザ端末のうち対応するユーザ端末毎にフレームレートを落として同時に送信することを特徴とする請求項１記載の監視装置。
【請求項３】
前記撮像素子の全読み出し領域から読み出した撮像信号に対して、所定の映像変化のある部分を異常部分として検出する異常検出処理を行う異常検出手段と、
前記異常検出手段により検出された撮像信号中の異常部分に該当する前記ユーザ端末に対応した前記撮像素子の読み出し領域を前記ユーザ情報記憶手段を参照して特定し、その特定した読み出し領域を前記撮像素子に設定する第２の読み出し領域設定手段と、
前記異常検出手段により検出された撮像信号中の異常部分に該当する前記ユーザ端末の送信先を前記ユーザ情報記憶手段を参照して特定し、その特定したユーザ端末に対して異常通知を送信する異常通知送信手段と、
前記異常検出手段により異常部分が検出された撮像信号を記録媒体に記録する記録手段と、
前記異常通知されたユーザ端末から映像送信要求があった場合に、前記撮像素子で撮像した監視範囲の撮像信号のうち、前記第２の読み出し領域設定手段により設定された読み出し領域の撮像信号のみを切り出して、その撮像信号に対してリサイズ処理を行って得た映像信号を、前記異常通知したユーザ端末に対して送信する送信手段と
を更に有することを特徴とする請求項１記載の監視装置。
【請求項４】
前記第２の読み出し領域設定手段は、前記異常検出手段により検出された撮像信号中の異常部分に該当する複数のユーザ端末に対応した前記撮像素子の読み出し領域を前記ユーザ情報記憶手段を参照して特定したときは、その特定した複数の読み出し領域を前記撮像素子に時分割で設定し、
前記異常通知送信手段は、前記異常検出手段により検出された撮像信号中の異常部分に該当する複数のユーザ端末を前記ユーザ情報記憶手段を参照して特定し、その特定した複数のユーザ端末に対して異常通知を送信し、
前記送信手段は、前記異常通知した複数のユーザ端末から映像送信要求があった場合に、前記撮像素子で撮像した監視範囲の撮像信号のうち、前記第２の読み出し領域設定手段により時分割で設定された読み出し領域の撮像信号のみを切り出して、その撮像信号に対してリサイズ処理を行って得た複数の映像信号を、前記異常通知した複数のユーザ端末のうち対応するユーザ端末毎にフレームレートを落として同時に送信することを特徴とする請求項３記載の監視装置。
【発明の詳細な説明】
【技術分野】
【０００１】
本発明は監視装置に係り、特に撮像素子を用いた撮像装置を含み、監視範囲内の特定領域の情報を関連する特定のユーザ端末にのみ送信する監視装置に関する。
【背景技術】
【０００２】
撮像素子を用いた監視装置に監視範囲内の特定領域の情報を関連する特定のユーザにのみ送信するような監視装置としては、まず監視範囲全体を撮像素子で撮像し、その撮像信号から必要な領域を切り出して処理する方式が一般的である（例えば、特許文献１参照）。この特許文献１には、利用者が認証を行った後、数台の撮像装置を用いて撮像を行った映像より特定の部分を抜き出して送信する方法について記載されている。
【０００３】
一方、ＣＭＯＳ撮像素子の読み出し領域を限定して読み出して利用する方式も従来提案されている（例えば、特許文献２参照）。この特許文献２には、ＣＭＯＳ撮像素子は映像信号の読み出し領域（撮像範囲）を変化させられる特徴を持ち、映像信号読み出し領域を小さくすれば読み出す信号量は少なくなるので読み出し時間は短くなることが記載されている。
【０００４】
【特許文献１】特開２００２−３２０２１０号公報
【特許文献２】特開２００６−１２９２３７号公報
【発明の開示】
【発明が解決しようとする課題】
【０００５】
しかしながら、監視範囲内の特定領域の情報を関連する特定のユーザにのみ送信するような監視装置において、高解像度のＣＣＤ撮像素子、もしくはＣＭＯＳ撮像素子を用いた監視装置によって１台の高解像度の撮像素子で広範囲を撮像、監視しようとした場合、特許文献１、２に記載されたような、監視範囲全体の映像信号を読み出してから特定範囲を抜き出してユーザに配信する方式では、撮像素子からの映像信号読み出し時間が撮像素子の解像度に比例して長くなるため、一定時間当りのデータ転送（表示）可能画面数が少なくなり、滑らかな映像を送信することができない。
【０００６】
そのため、広範囲の監視範囲を撮像素子で撮像し監視するには、低解像度の撮像素子を用いた監視装置を複数台設置するか、高解像度の撮像素子に駆動部を設けて正確に撮像範囲の制御を行う必要があり、設置コストやランニングコストがかさむのが課題である。
【０００７】
本発明は以上の点に鑑みなされたもので、撮像範囲全体の映像信号を読み出す場合と比較して読み出す信号量を少なくして、短時間で読み出すことができ、滑らかな映像を得ることができると共に、従来に比べて設置コストやランニングコストを低減し得る監視装置を提供することを目的とする。
【課題を解決するための手段】
【０００８】
上記の目的を達成するため、第１の発明は、撮像素子で撮像した監視範囲内の特定領域の映像信号を、ネットワーク接続された複数のユーザ端末のうち特定領域に関連付けられた特定のユーザ端末のみに送信する監視装置であって、
撮像した撮像信号の読み出し領域を設定可能な撮像素子を備える撮像手段と、複数のユーザ端末各々毎の、予め割り当てた認証情報、送信先情報、及び撮像素子の読み出し領域を記憶するユーザ情報記憶手段と、任意のユーザ端末からの映像送信要求を受信したときに、この受信した映像送信要求に基づき、ユーザ端末の認証情報とユーザ情報記憶手段に記憶されている認証情報とを照合して一致するか否かの認証処理を行う認証手段と、認証処理により認証が成功したときは、認証が成功した映像送信要求元のユーザ端末に対応して設定されている撮像素子の読み出し領域をユーザ情報記憶手段から読み出して、撮像素子に設定する第１の読み出し領域設定手段と、撮像素子で撮像した監視範囲の撮像信号のうち、第１の読み出し領域設定手段により設定された読み出し領域の撮像信号のみを切り出して、その撮像信号に対してリサイズ処理を行って得た映像信号を、認証が成功した映像送信要求元のユーザ端末に対して送信する信号処理送信手段とを有することを特徴とする。
【０００９】
この発明では、認証が成功した映像送信要求元のユーザ端末に設定されている撮像素子の読み出し領域を撮像素子に設定し、その読み出し領域の撮像信号のみを切り出して、その撮像信号に対して信号処理及びリサイズ処理を行って得た映像信号を認証が成功した映像送信要求元のユーザ端末の送信先に対して送信するようにしたため、１台だけの撮像部で広範囲の監視範囲を撮像しているにもかかわらず、複数のユーザ端末と同じ台数の撮像部で監視範囲を撮像した場合と同等の撮像信号を得ることかできる。
【００１０】
また、上記の目的を達成するため、第２の発明は、第１の発明において、認証が成功した映像送信要求元のユーザ端末が複数ある場合に、第１の読み出し領域設定手段は、複数のユーザ端末それぞれについて設定されている撮像素子の読み出し領域を撮像素子に時分割で設定し、信号処理送信手段は、第１の読み出し領域設定手段により時分割で設定された読み出し領域の撮像信号のみを順次に切り出して、その撮像信号に対してリサイズ処理を行って得た複数の映像信号を、認証が成功した複数のユーザ端末のうち対応するユーザ端末毎にフレームレートを落として同時に送信することを特徴とする。
【００１１】
また、上記の目的を達成するため、第３の発明は、撮像素子の全読み出し領域から読み出した撮像信号に対して、所定の映像変化のある部分を異常部分として検出する異常検出処理を行う異常検出手段と、異常検出手段により検出された撮像信号中の異常部分に該当するユーザ端末に対応した撮像素子の読み出し領域をユーザ情報記憶手段を参照して特定し、その特定した読み出し領域を撮像素子に設定する第２の読み出し領域設定手段と、異常検出手段により検出された撮像信号中の異常部分に該当するユーザ端末の送信先をユーザ情報記憶手段を参照して特定し、その特定したユーザ端末に対して異常通知を送信する異常通知送信手段と、異常検出手段により異常部分が検出された撮像信号を記録媒体に記録する記録手段と、異常通知されたユーザ端末から映像送信要求があった場合に、撮像素子で撮像した監視範囲の撮像信号のうち、第２の読み出し領域設定手段により設定された読み出し領域の撮像信号のみを切り出して、その撮像信号に対してリサイズ処理を行って得た映像信号を、異常通知したユーザ端末に対して送信する送信手段とを更に有することを特徴とする。
【００１２】
この発明では、撮像信号中の異常部分に該当するユーザ端末に対応した撮像素子の読み出し領域をユーザ情報記憶手段を参照して特定し、その特定した読み出し領域を撮像素子に設定すると共に、撮像信号中の異常部分に該当するユーザ端末の送信先をユーザ情報記憶手段を参照して特定し、その特定したユーザ端末の送信先に対して異常通知を送信するようにしたため、ユーザ端末は自ら常時監視する必要をなくすことができる。また、この発明では、異常部分のある映像信号を記録することで、異常状態の早期の内容把握や対処が可能となり、後からの状況確認も容易になる。
【００１３】
また、上記の目的を達成するため、第４の発明は、第３の発明における第２の読み出し領域設定手段は、異常検出手段により検出された撮像信号中の異常部分に該当する複数のユーザ端末に対応した撮像素子の読み出し領域をユーザ情報記憶手段を参照して特定したときは、その特定した複数の読み出し領域を撮像素子に時分割で設定し、異常通知送信手段は、異常検出手段により検出された撮像信号中の異常部分に該当する複数のユーザ端末をユーザ情報記憶手段を参照して特定し、その特定した複数のユーザ端末に対して異常通知を送信し、送信手段は、異常通知した複数のユーザ端末から映像送信要求があった場合に、撮像素子で撮像した監視範囲の撮像信号のうち、第２の読み出し領域設定手段により時分割で設定された読み出し領域の撮像信号のみを切り出して、その撮像信号に対してリサイズ処理を行って得た複数の映像信号を、異常通知した複数のユーザ端末のうち対応するユーザ端末毎にフレームレートを落として同時に送信することを特徴とする。
【発明の効果】
【００１４】
本発明によれば、１つの撮像素子で広範囲の監視対象を監視しているにもかかわらず、あたかもユーザ端末数と同じ台数の監視カメラでユーザ毎に監視を行っているような利便性を提供することができ、ユーザ端末数と同じ台数の監視カメラでユーザ端末毎に監視を行う場合に比べて監視装置の数は１台で済むので、設置コストやランニングコストを低減することができる。
【００１５】
また、本発明によれば、ユーザ端末に対しては撮像素子の該当ユーザ端末に対応する一部の読み出し領域のみからの映像信号だけを読み出すので、撮像範囲全体の映像信号を読み出す場合と比較して読み出す信号量を少なくして、読み出しを高速化でき、撮像素子全体を読み出す場合と比較して、高いフレームレートの映像を取り出すことが可能となり、その結果、ユーザ端末の画面の表示画像の動きの滑らかさを従来より向上できる。
【００１６】
更に、本発明によれば、撮像信号中の異常部分に該当するユーザ端末に対応した撮像素子の読み出し領域を撮像素子に設定すると共に、撮像信号中の異常部分に該当するユーザ端末の送信先に対して異常通知を送信するようにしたため、ユーザ端末は自ら常時監視する必要なく、ユーザ端末に対応した読み出し領域の異常部分のある映像信号だけを動きの滑らかな映像で確認できる。
【発明を実施するための最良の形態】
【００１７】
次に、本発明を実施するための最良の形態について図面と共に詳細に説明する。図１は本発明になる監視装置の一実施の形態のブロック図を示す。同図に示すように、本実施の形態の監視装置Ａは監視対象Ｂを撮像する撮像部１と、撮像部１から出力される映像信号を処理する信号処理部２と、撮像部１の設定やユーザ認証を行う制御部３とからなる。
【００１８】
撮像部１はフィルタ１１、レンズ１２、アイリス１３、高精細ＣＭＯＳ撮像素子１４、アナログ／デジタル変換器１５を備える。フィルタ１１、レンズ１２、アイリス１３、高精細ＣＭＯＳ撮像素子１４、アナログ／デジタル変換器１５は制御部３により制御される。また、高精細ＣＭＯＳ撮像素子１４は設定により任意の読み出し領域のみの映像信号を読み出すことが可能である。アナログ／デジタル変換器１５は高精細ＣＭＯＳ撮像素子１４より読み出されたアナログ映像信号をデジタル映像信号に変換する。
【００１９】
信号処理部２は、映像信号のガンマ処理やリサイズなど基本的な映像信号処理を行う映像処理部２１、ネットワーク網４を介してパーソナルコンピュータ（ＰＣ）５１や携帯端末５２などのユーザ端末５に映像を送信する映像送信部２２、一定領域の映像の急激な変化などを異常として検出する異常検出部２３、異常検出部２３で異常が検出された際に該当するユーザにネットワーク網４を介してユーザ端末５に異常通知を送信する異常通知送信部２４、異常検出部２３で異常が検出された際に記録を行う映像記録部２５を備える。
【００２０】
制御部３はユーザ毎の認証用ＩＤやパスワード、該当撮像素子読み出し領域情報やユーザ端末の形態、映像や異常通知の送信先、監視希望状況などを関連付けて記憶するユーザ情報記憶部３１、状況によりユーザ情報記憶部３１に記憶されたユーザ情報を基に高精細ＣＭＯＳ撮像素子１４の読み出し領域を設定する撮像素子読み出し領域設定部３２、映像処理部２１での映像信号の状態に応じてフィルタ１１の変更、レンズ１２のフォーカス、アイリス１３の絞り量、高精細ＣＭＯＳ撮像素子１４の露光時間、アナログ／デジタル変換器１５の増幅率などの設定を行う撮像条件設定部３３、ネットワーク網４を介したユーザ端末５からの映像信号送信要求受付や監視希望状況の変更などを行う際にユーザ情報記憶部３１の情報を基に認証処理を行うユーザ認証部３４を備える。
【００２１】
本実施の形態では、ネットワーク網４を介してユーザ端末５（以下、ユーザ側と記載することもある。）からの映像送信要求があると、制御部３は映像送信要求元であるユーザ側のユーザ認証処理を行い、ユーザ認証が成功した場合は、当該ユーザ端末５に対応した高精細ＣＭＯＳ撮像素子１４の映像信号読み出し領域を設定して、その読み出し領域からの映像信号のみを映像信号処理及びリサイズ処理して映像送信要求元のユーザ端末５へ送信するようにしたため、高精細ＣＭＯＳ撮像素子１４を備えた１台の撮像部１で広範囲の監視対象を監視しているにもかかわらず、あたかもユーザ数と同じ台数の監視カメラでユーザ毎に監視を行っているような利便性を提供することができ、ユーザ数と同じ台数の監視カメラでユーザ毎に監視を行う場合に比べて、監視カメラの台数は１台で済むので、設置コストやランニングコストを低減することができる。
【実施例１】
【００２２】
本実施例において、監視装置Ａが監視対象Ｂとして、図２に示すような４階建で、同じ大きさの部屋を一階あたり４室持つマンション６１を監視対象とする場合、まず予めマンション６１の全室が見渡せる位置（例えば隣接マンション６２、６３の屋上など）に監視装置Ａを設置し、全室が撮像範囲に収まるよう制御部３の制御により撮像部１を設定する。このとき高精細ＣＭＯＳ撮像素子１４はＶＧＡサイズ（６４０×４８０ピクセル）の縦横各４倍（約５メガピクセル）の解像度を持つものを使用する。その後各室の領域と撮像素子読み出し領域（位置、サイズ）を関連付けさせ、ユーザ情報記憶部３１に記憶しておく。当例のマンション６１の場合１６室を持つため、各部屋番号と対応した撮像素子の読み出し領域を１６通り、ユーザ情報記憶部３１に記憶しておく。
【００２３】
例えば、図３にフレーム７１で示すようにマンション６１の全体を撮像したとすると、マンション６１の２階でベランダ側から見て右から２番目の部屋の部屋番号に対応した高精細ＣＭＯＳ撮像素子１４の読み出し領域はフレーム７１内の破線部になり、図３にフレーム部分７２で示すように該当領域のみが読み出される。このとき読み出し領域のサイズはＶＧＡサイズとする。高精細ＣＭＯＳ撮像素子１４の読み出し領域を高精細ＣＭＯＳ撮像素子１４の一部に限定することで、読み出しを高速化でき、撮像素子全体を読み出す場合と比較して、高いフレームレートの映像を取り出すことが可能となる。
【００２４】
監視システムの利用を希望する居住者はユーザ登録を行い、受信資格認証用のＩＤとパスワード、映像信号の送信先、受信端末の形態や解像度（例えば、ＶＧＡサイズ）を設定し、その情報も部屋番号と関連付けさせてユーザ情報記憶部３１に記憶しておく。
【００２５】
図４はユーザが要求をして直接監視を行う場合の処理手順のフローチャートを示す。以下、図４を用いて本監視装置の一つの動作形態の説明を行う。監視動作を開始すると（ステップＳ１）、図１の制御部３はユーザ端末５からの映像送信要求を待つ（ステップＳ２）。このとき図１の撮像部１及び信号処理部２は動作しない。ネットワーク網４を介してユーザ端末５からの映像送信要求があると、制御部３はユーザ側にＩＤとパスワードを求めて、ユーザ端末５からのＩＤ及びパスワードとユーザ情報記憶部３１の記憶ＩＤ及びパスワードとを照合するユーザ認証処理を行う（ステップＳ３）。
【００２６】
このユーザ認証処理により認証が成功したかどうか判定し（ステップＳ４）、認証が成功しなければステップＳ２に戻り、制御部３は再びユーザ端末５からの映像送信要求を待つ。ステップＳ４にて認証が成功した場合は、図１の撮像素子読み出し領域設定部３２は該当ユーザ端末５に対応した高精細ＣＭＯＳ撮像素子１４の映像信号読み出し領域をユーザ情報記憶部３１より読み出して設定する（ステップＳ５）。このように認証を行ってから高精細ＣＭＯＳ撮像素子１４の読み出し領域を設定することにより、ユーザが監視対象の自室の映像を他のユーザに見られることを防ぎ、プライバシーを保護することができる。
【００２７】
その後撮像装置１は撮像を行い、該当ユーザ端末５に対応する領域の映像信号のみを高精細ＣＭＯＳ撮像素子１４より読み出し（ステップＳ６）、その読み出した映像信号に対して映像処理部２１は映像信号処理と、ユーザ端末５に合わせたサイズ（ここではＶＧＡサイズ）のリサイズとを行う（ステップＳ７）。このとき、撮像条件設定部３３は映像処理部２１の映像信号の状態に応じて、映像が暗ければ、順次アイリス１３を開ける、撮像素子１４の露光時間を増やす、フィルタ１１を夜間用に変更するなどの撮像条件の設定も行う。
【００２８】
続いて、図１の映像送信部２２はユーザ情報記憶部３１に記憶されている該当ユーザ端末５へ、ネットワーク網４を経由して映像を送信する（ステップＳ８）。その後、ユーザ端末５からの終了要求があるかどうか判定し（ステップＳ９）、終了要求があれば、ステップＳ２に戻ってユーザ端末５からの映像送信要求を待ち、ユーザ端末５からの終了要求がなければ、ステップＳ６に戻り、撮像から送信を繰り返す。ステップＳ８でユーザ端末５へ送信された映像信号は、高精細ＣＭＯＳ撮像素子１４の全読み出し領域のうち、該当ユーザ端末５に対応する一部の領域のみからの映像信号であるので、読み出しを高速化でき、撮像素子全体を読み出す場合と比較して、高いフレームレートの映像を取り出すことが可能となり、その結果、ユーザ端末５の画面の表示画像の動きの滑らかさを従来より向上できる。
【００２９】
このように、本実施例では、マンション居住者であるユーザが個別に監視装置Ａを設置することなく、登録を行うだけで、外出先から必要なときに自室の様子を滑らかな映像で監視、確認することが可能となる。また図示してないが、複数のユーザが同時に映像送信要求をしてきた場合も、ステップＳ５〜Ｓ９の処理をユーザ毎に時分割で行うことで、フレームレートは落ちるが、ほぼ同時に映像を送信することも可能である。
【実施例２】
【００３０】
図５は監視装置が監視対象の異常検出を行い、異常時のみ該当ユーザ側に通知し、映像送信を行う場合の処理手順のフローチャートを示す。以下、図５を用いて本実施例の監視装置Ａの別の動作説明を行う。監視対象や、監視装置の設置設定状況、監視装置の構成、ユーザ端末、ユーザ登録処理は実施例１に準ずる。
【００３１】
まず、監視動作を開始すると（ステップＳ１１）、撮像部１は撮像を行い、高精細ＣＭＯＳ撮像素子１４の全領域の映像信号読み出しを行う（ステップＳ１２）。続いて、図１の映像処理部２１は全領域の映像信号に対して映像信号処理を行い、異常検出部２３は全領域の映像信号に対して、例えば一定領域の映像の所定レベルを超える輝度の変化や動きの変化などの映像の変化を捉える異常検出処理を行う（ステップＳ１３）。このとき、撮像条件設定部３３は映像処理部２１の映像信号の状態に応じて、映像が暗ければ、順次アイリス１３を開ける、撮像素子１４の露光時間を増やす、フィルタ１１を夜間用に変更するなどの撮像条件の設定も行う。
【００３２】
続いて、異常検出部２３による異常検出処理により映像信号の一定領域に異常部分があるかどうか判定し（ステップＳ１４）、異常部分が見つからなければステップＳ１２に戻り、撮像から検出を繰り返す。一方、ステップＳ１４にて撮像範囲に異常部分が見つかれば、異常検出部２３はユーザ情報記憶部３１を参照して異常部分に該当するユーザ端末５を特定し、その特定したユーザ端末５を示す情報を撮像素子読み出し領域設定部３２に通知する。これにより、撮像素子読み出し領域設定部３２は通知された特定のユーザ端末５に対応した高精細ＣＭＯＳ撮像素子１４の映像信号読み出し領域をユーザ情報記憶部３１より読み出して高精細ＣＭＯＳ撮像素子１４に設定する（ステップＳ１５）。
【００３３】
続いて、異常通知送信部２４はユーザ情報記憶部３１より該当ユーザ端末５の送信先を読み出し、ネットワーク網４を介して、該当ユーザ端末５に異常通知を送信する（ステップＳ１６）。次に、映像記録部２５は、高精細ＣＭＯＳ撮像素子１４からの映像信号の記録動作を開始する（ステップＳ１７）。続いて、撮像部１は撮像を行い、該当ユーザ端末５に対応する領域の映像信号のみを高精細ＣＭＯＳ撮像素子１４より読み出す（ステップＳ１８）。
【００３４】
その後、該当ユーザ端末５より映像送信要求があるかどうか判定し（ステップＳ１９）、映像送信要求があれば、映像処理部２１はステップＳ１８で読み出された該当ユーザ端末５に対応する領域の映像信号の映像信号処理と、該当ユーザ端末５に合わせたサイズ（ここではＶＧＡサイズ）のリサイズとを行い（ステップＳ２０）、映像送信部２２により映像送信要求元のユーザ端末５へ、ネットワーク網４を経由してステップＳ２０で処理した映像信号を送信させる（ステップＳ２１）。このときユーザ側の要求によっては、記録されている映像信号を送信することも可能である。
【００３５】
続いて、ユーザ端末５からの送信終了要求があるかどうか判定し（ステップＳ２２）、終了要求があればステップＳ１２に戻って再び高精細ＣＭＯＳ撮像素子１４の全領域の映像信号の読み出しを開始し、ユーザ端末５からの終了要求がなければ、ステップＳ１８に戻り、該当ユーザ端末５に対応する領域の映像信号の送信を継続する。
【００３６】
一方、ステップＳ１９にて該当ユーザ端末５より映像送信要求がないと判定した場合は、映像処理部２１は該当ユーザ端末５に対応する領域の映像信号に対して映像信号処理を行い、異常検出部２３はその映像信号処理後の映像信号に対して映像の急激な変化などを捉える異常検出処理を行う（ステップＳ２３）。続いて、該当領域に異常はなくなったかどうか判定し（ステップＳ２４）、異常がまだ存在する場合はステップＳ１８に戻り、該当領域の読み出しからの動作を繰り返す。異常が存在しなくなった場合は、映像記録部２５の映像信号の記録を終了し（ステップＳ２５）、その後ステップＳ１２に戻って再び全領域の異常検出を開始する。
【００３７】
この実施例では、マンション居住者であるユーザが個別に監視装置を設置することなく、登録を行うだけで、自室の監視が可能となる。また、異常時のみ通知されるので、ユーザ自ら監視を行う必要もなくなる。また異常時には異常部分のみを滑らかな映像で確認でき、録画も行うため、異常状態の早期の内容把握や対処が可能となり、後からの状況確認なども容易となる。
【００３８】
また、図５には図示してないが、複数のユーザ領域に同時に異常が発生した場合も、ステップＳ１５〜Ｓ２５の処理をユーザ毎に時分割で行うことで、フレームレートは落ちるが、ほぼ同時に映像を送信することも可能となる。
【００３９】
以上２つの実施例を説明したが、監視対象は上記の実施例に限らず、広範囲を高解像度で監視する必要のある場所、例えば駐車場の各自家用車に対する監視や、学校の教室に設置して、時間帯を制限して各児童を親が監視する、などの用途も考えられる。また、撮像解像度や、ユーザ端末５への送信解像度も上記実施例に限らず、状況に応じて、更に撮像素子の解像度を読み出し領域の解像度を変えて実施することも考えられる。また、フィルタ１１にベイヤパターンなどのカラーフィルタを装着し、後段で復調処理を行うことでカラー画像での記録、ユーザ送信を行うことも考えられる。
【産業上の利用可能性】
【００４０】
本発明はビル、マンション、学校、駐車場、ヨット繋留場など複数の個人所有領域が密接している場所において、個人単位での高解像度での監視が要求される場合に、低コストで保全性の高い監視装置として利用できる。
【図面の簡単な説明】
【００４１】
【図１】本発明の監視装置の一実施の形態のブロック図である。
【図２】本発明の監視装置の設置例を示す図である。
【図３】本発明の監視装置の撮像素子の撮像と読み出しのイメージの一例を示す図である。
【図４】本発明の監視装置の実施例１における処理手順を示すフローチャートである。
【図５】本発明の監視装置の実施例２における処理手順を示すフローチャートである。
【符号の説明】
【００４２】
Ａ  監視装置
Ｂ  監視対象
１  監視装置の撮像部
２  監視装置の信号処理部
３  監視装置の制御部
４  ネットワーク網
５  ユーザ端末
１４  高精細ＣＭＯＳ撮像素子
１５  アナログ／デジタル変換器
２１  映像処理部
２２  映像送信部
２３  異常検出部
２４  異常通知送信部
２５  映像記録部
３１  ユーザ情報記憶部
３２  撮像素子読み出し領域設定部
３３  撮像条件設定部
３４  ユーザ認証部
５１  ユーザＰＣ
５２  ユーザ携帯端末
【図１】
2008211407.tif 000003
【図２】
2008211407.tif 000004
【図３】
2008211407.tif 000005
【図４】
2008211407.tif 000006
【図５】
2008211407.tif 000007